(57)【要約】【課題】  一つのコイル中を貫通する磁束が変化する時そのコイルには貫通磁束の変化する間第１の電位差が生じる。所が既第１の電位差は既貫通磁束の第１の変化を妨げる方向に生じる。  第１の変圧器起電力が誘導される一つの第１のコイルを閉じると、電気回路の既第１のコイルに電流が流れる。既電流からの磁束は既第１の変化を妨げるので、既第１の電位差はゼロに近づいて行く。  既電気回路が独立して働く為には、既第１の変圧器起電力が保たれる事が求められる。【解決手段】変動させられている第１の磁束と、前記第１の磁束と鎖交される第１のコイルと、前記第１のコイルからの第２の磁束と、前記第２の磁束と合わさって作用を現さなくなる第３の磁束が誘導される第２のコイルと、前記第２の磁束の殆どと前記第３の磁束の殆どが電磁的に結合される結合部材と、電気回路の負荷接続に用いられる接続端子とを具備する様な手段。【選択図】図４
2010034531.tif 000002
【特許請求の範囲】
【請求項１】
変動させられている磁束とコイルを鎖交する電磁誘導用鎖交具であって、変動させられている少なくとも一つ以上の第１の磁束と、前記第１の磁束と鎖交される少なくとも一つ以上の第１のコイルと、誘導起電力を有している前記第１のコイルからの少なくとも一つ以上の第２の磁束と、前記第２の磁束と合わさって反対方向でほぼ同じ大きさの量に含まれる少なくとも一つ以上の第３の磁束と、前記第２の磁束と鎖交される前記第３の磁束が誘導される少なくとも一つ以上の第２のコイルと、前記第２の磁束の殆どと前記第３の磁束の殆どが電磁的に結合される結合部材と、前記第１のコイル及び／又は前記第２のコイルを含む電気回路及び／又は電気的閉路の負荷接続に用いられる前記第１のコイル及び／又は前記第２のコイルの少なくとも一組以上の接続端子とを具備する電磁誘導用鎖交具。
【請求項２】
請求項１に記載の電磁誘導用鎖交具において、対称三相を成す前記第１の磁束と、二つの前記第３の磁束と、二つの前記第２のコイルと、星形又は三角に接続される前記第１のコイル及び前記第２のコイルを含む電気回路の星形又は三角の負荷接続に用いられる前記接続端子を具備する事を特徴とする電磁誘導用鎖交具。
【請求項３】
請求項１ないし請求項２のいずれかに記載の電磁誘導用鎖交具において、一方の前記第２のコイルの巻終りと他方の前記第２のコイルの巻始めとが接続され、更に前記第２のコイルの巻終りと巻終り同士が接続される前記第１のコイルを含む電気回路の単相の負荷接続に用いられる前記接続端子を具備する事を特徴とする電磁誘導用鎖交具。
【請求項４】
請求項１に記載の電磁誘導用鎖交具において
二つの前記第２の磁束と、一方の前記第２の磁束に合わさる一つの前記第３の磁束及び他方の前記第２の磁束に合わさる一つの前記第３の磁束を有する事を特徴とする電磁誘導用鎖交具。
【請求項５】
請求項１に記載の電磁誘導用鎖交具において
磁気源からの前記第１の磁束の第１の経路と、前記第２の磁束及び前記第３の磁束の第２の経路が前記磁気源を経由する区間において相違する事を特徴とする電磁誘導用鎖交具。
【発明の詳細な説明】
【技術分野】
【０００１】      本発明は、交流電力に関する。
【背景技術】
【０００２】  ダムの水から位置エネルギーを引き出すのに、水門を開閉するための僅かのエネルギーを要す。油から化学的エネルギーを引き出すのに、油を燃やすための火花を飛ばすエネルギーを要す。ウランから核エネルギーを引き出すのに、核分裂を起こしてから引き出せるエネルギーに比べて僅かのエネルギーを要す。
レンツの法則は一つの変動磁束、一つの誘導起電力、一つの誘導電流がリアルに存在した結果からの説明である。レンツの法則は一つの変動磁束、一つの誘導起電力、一つの誘導電流がリアルに存在した結果からの説明である。電気的エネルギーが放出されるのは放出されたエネルギーに等しいエネルギーが以前に消費された結果だと考えられている。
ダムからの水や、油を燃したり、核分裂によって得られる熱で蒸気をつくり、発電機の軸に取り付けられたタービンにそれらがぶつけられると、発電機の軸が回る。その結果、発電機のコイルの端子間に電位差を生じる。
単相２脚の変圧器の場合一方の脚には一次巻線が巻かれ、発電機側と接続される。他方の脚には二次巻線が巻かれる。無負荷の場合に、既一次巻線に流入する電流を励磁電流と言う。既励磁電流からの第１の磁束が鉄芯に誘導されると、既二次巻線には第１の電位差が生じる。もし二次電気回路が閉じられて第１の電流が流れるとその結果既第１の磁束が減らされる。既第１の磁束は既一次巻線が電源に接続されていると一定の磁束でなければならないので、それに呼応して一次負荷電流が自動的に既一次巻線に流入する。その結果、既一次巻線に生じる電位差は一定に保たれると考えられている。
電磁誘導は変圧器以外でも新たに応用が為されるであろう。
【発明の開示】
【発明が解決しようとする課題】
【０００３】  一つのコイル中を貫通する磁束が変化する時そのコイルには貫通磁束の変化する間第１の電位差が生じる。所が既第１の電位差は既貫通磁束の第１の変化を妨げる方向に生じる。
第１の変圧器起電力が誘導される一つの第１のコイルを閉じると、電気回路の既第１のコイルに電流が流れる。既電流からの磁束は既第１の変化を妨げるので、既第１の電位差はゼロに近づいて行く。
既電気回路が独立して働く為には、既第１の変圧器起電力が保たれる事が求められる。
【課題を解決するための手段】
【０００４】  具体的には、変動させられている少なくとも一つ以上の第１の磁束と、前記第１の磁束と鎖交される少なくとも一つ以上の第１のコイルと、誘導起電力を有している前記第１のコイルからの少なくとも一つ以上の第２の磁束と、前記第２の磁束と合わさって反対方向でほぼ同じ大きさの量に含まれる少なくとも一つ以上の第３の磁束と、前記第２の磁束と鎖交される前記第３の磁束が誘導される少なくとも一つ以上の第２のコイルと、前記第２の磁束の殆どと前記第３の磁束の殆どが電磁的に結合される結合部材と、前記第１のコイル及び／又は前記第２のコイルを含む電気回路及び／又は電気的閉路の負荷接続に用いられる前記第１のコイル及び／又は前記第２のコイルの少なくとも一組以上の接続端子とを具備する様な手段によって達成する事ができる。
【発明の効果】
【０００５】  一つの変動させられている第１の磁束と鎖交される一つの第１のコイルに変圧器起電力が誘導される。既第１のコイルの誘導電流からの第２の磁束が誘導される。更に既第２の磁束と合わさって反対方向でほぼ同じ大きさになる第３の磁束が第２のコイルから誘導される。従って既第２の磁束と既第３の磁束は既第１のコイルに作用を現さない。既第１のコイルを電源とする第１の電気回路が閉じられると既第１のコイルの変圧器起電力の電位差と移動した電荷の積で表されるエネルギーが放出される。一方、磁気源からの磁束を変動させるエネルギーは励磁電流を流すに過ぎない。若しくは磁気回路を動的にするエネルギーに過ぎない。これらのエネルギーは既第１の電気回路から放出されるエネルギーに比べてほんの僅かである。
【発明を実施するための最良の形態】
【０００６】  第４図において、変動させられている第１の磁束１３、３１と鎖交される第１のコイル３０と、前記第１のコイル３０からの第２の磁束５３と、前記第２の磁束５３と合わさると反対方向でほぼ同じ大きさを持つ第３の磁束５１、５２と、前記第２の磁束５３と鎖交される前記第３の磁束５１、５２が誘導される第２のコイル１０、２０と、前記第２の磁束５３の殆どと前記第３の磁束５１、５２の殆どが電磁的に結合される結合部材４０と、星形接続される前記第１のコイル３０及び前記第２のコイル１０、２０が又は開閉器５を介して平衡負荷４に接続される接続端子６を備える実施例が示される。
実施例の発明は対称三相起電力装置１００、開閉器１０２を含む変動磁束発生用の電気回路１０４又は平衡負荷４と開閉器５に電磁的又は電気的に接続されて使われる。磁性芯材１１０、磁性芯材１２０、磁性芯材１３０に巻回されるコイル１１１、コイル１２１、コイル１３１に流れる励磁電流１０３からの第１の磁束１２、２１と２３、３２及び１３、３１が第１の磁路１、第２の磁路２、第３の磁路３に巻回される第２のコイル１０、２０と第１のコイル３０と鎖交される。前記第１の磁束１２、２１及び２３、３２によって前記第２のコイル１０、２０に、前記第１の磁束１３、３１によって前記第１のコイル３０に変圧器起電力２６、２７、２８が誘導される。前記変圧器起電力２６、２７、２８は対称三相起電力を成す。前記第１のコイル３０及び前記第２のコイル１０、２０の各端子は星形に接続される。残りの接続端子６は前記開閉器５を介して前記平衡負荷４に接続される。前記第２のコイル１０、２０及び前記第１のコイル３０に流れる負荷電流４１、４２、４３から誘導される第３の磁束５１、５２及び第２の磁束５３の殆どは結合部材４０を周回する。前記第２の磁束５３と第３の磁束５１及び５２の全てが合わさると常時ほぼ同じ大きさで反対方向の磁束になる。
従って前記負荷電流４１、４２、４３の各電流が流れる事で起電力又は逆起電力は殆ど生じないし、前記対称三相起電力装置１００に影響を与える事も殆ど無く、前記変圧器起電力２６、２７、２８が前記対称三相起電力装置１００から影響を受ける事も殆ど無い。従って前記負荷電流４１、４２、４３が流れても前記第１のコイル３０及び前記第２のコイル１０、２０の各コイルは対称三相起電力を成した儘に略保たれる。
第５図において第６図の静止ベクトルが正弦曲線で０度から３６０度程度に表される。縦線は３０度毎に挿入されている。第１の磁束１３、２１、３２及び第１のコイル鎖交磁束３３、第２のコイル鎖交磁束１１、２２が示される。第２のコイル鎖交磁束１１の大きさは第１の磁束２１と第１の磁束１３（＝１２）との差として現れる。第２のコイル鎖交磁束２２の大きさは第１の磁束３２と第１の磁束２１（＝２３）との差として現れる。第１のコイル鎖交磁束３３の大きさは第１の磁束１３と第１の磁束３２（＝３１）との差として現れる。Ｏ−Ｐ線の下側ではマイナスの値を持っているとして前述の差は扱われる。
第６図において、励磁電流１０３から誘導される磁束を静止ベクトルで示す。第４図の第１の磁束１３と３１を合わせた磁束が磁束３３で示される。前記磁束３３は第１のコイル３０を貫通する。前磁束１２と２１が加わった磁束を磁束１１で示される。前記磁束１１は第２のコイル１０を貫通する。磁束２３と３２が加わった磁束を磁束２２で示す。前記磁束２２は第２のコイル２０を貫通する。これらの磁束は第２のコイル１０、２０及び第１のコイル３０に対称三相起電力を齎す誘導起電力２６、２７、２８を誘導する。対称三相起電力から誘導される負荷電流４１、４２、４３からの第３の磁束５１、５２及び第２の磁束５３も対称な三相の磁束に誘導される。従って既磁束の殆どが結合部材４０を周回すると大きさが同じで互いに反対方向の磁束になる。この磁束は作用を現さない。
尚、形状、大きさ、作動及び構造上の細部については変更しても良く前述の具体例は専ら解説の為のものであって、本発明の範囲を限定するものではない。
【実施例Ｉ】
【０００７】  第７図において、変動させられている第１の磁束１１３、１３１と鎖交される第１のコイル３０と、前記第１のコイル３０からの第２の磁束３１と、前記第２の磁束３１と合わさると反対方向でほぼ同じ大きさを持つ第３の磁束１１、２１と、前記第２の磁束３１と鎖交される前記第３の磁束１１、２１が誘導される第２のコイル１０、２０と、前記第２の磁束３１の殆どと前記第３の磁束１１、２１の殆どが電磁的に結合される結合部材７０と、前記第２のコイル１０の巻終りが前記第２のコイル２０の巻始めと接続され、更に前記第２のコイル２０の巻終りと前記第１のコイル３０の巻終りが接続されるコイルが開閉器４１を介して単相負荷５０に接続される接続端子４０を備える実施例が示される。
実施例の発明は対称三相起電力発生装置２２０、開閉器２１０を含む変動磁束発生用の電気回路２００又は単相負荷５０と開閉器４１に電磁的又は電気的に接続されて使われる。磁性芯材１１０、磁性芯材１２０、磁性芯材１３０に巻回されるコイル２０１、コイル２０２、コイル２０３に流れる励磁電流２２１からの第１の磁束１１２、１２１と１２３、１３２及び１１３，１３１が第１の磁路１、第２の磁路２、第３の磁路３に誘導される。第１の接続コイルは前記第２のコイル１０の巻終りと前記第２のコイル２０の巻始めとが接続される。第２の接続コイルは更に前記第２のコイル２０の巻終りと前記第１のコイル３０の巻終りとが接続される。それによって既第２の接続コイルに誘導される変圧器起電力１５、２５、３５は常に同じ方向に加わり合う。残りの接続端子４０は前記開閉器４１及び前記単相負荷５０を介して電気回路６０に閉じられる。前記第１のコイル３０と既第１の接続コイルの双方のコイルの巻数が等しくされ、既双方が接続される。既第２の接続コイルに流れる負荷電流６１から誘導される第２の磁束３１及び第３の磁束１１、２１が合わさると常時ほぼ同じ大きさで反対方向の磁束になる。前記第２の磁束３１及び前記第３の磁束１１、２１の殆どは結合部材を周回する。従って前記負荷電流６１が流れる事で起電力又は逆起電力は殆ど生じないし、前記電源２２０に影響を与える事も殆ど無く、前記変圧器起電力１５、２５、３５が前記電源２２０から影響を受ける事も殆ど無い。従って前記負荷電流６１が流れても前記変圧器起電力１５、２５、３５が略保たれる。
第８図において第９図の静止ベクトルが正弦曲線で０度から３６０度程度に表される。縦線は３０度毎に挿入されている。第１の磁束１１３、１２１、１３２及び鎖交磁束１３３、１１１、１２２が示される。更に鎖交磁束１３４が示される。鎖交磁束１１１の大きさは第１の磁束１２１と第１の磁束１１３（＝１１２）との差として現れる。鎖交磁束１２２の大きさは第１の磁束１３２と第１の磁束１２１（＝１２３）との差として現れる。鎖交磁束１３３の大きさは第１の磁束１１３と第１の磁束１３２（＝１３１）との差として現れる。鎖交磁束１３４の大きさは第１の磁束１３２と第１の磁束１１３（＝１１２）との差として現れる。Ｏ−Ｐ線の下側ではマイナスの値を持っているとして前述の差は扱われる。
第９図において、励磁電流２２１から誘導される磁束を静止ベクトルで示す。第７図の第１の磁束１１３と１３１を合わせた磁束が鎖交磁束１３３で示される。前記鎖交磁束１３３は第１のコイル３０を貫通する。第１の磁束１１２と１２１を合わせた磁束が鎖交磁束１１１で示される。前記鎖交磁束１１１は第２のコイル１０を貫通する。第１の磁束１２３と１３２を合わせた磁束が鎖交磁束１２２で示される。前記鎖交磁束１２２は第２のコイル２０を貫通する。前記鎖交磁束１３３と前記鎖交磁束１１１及び前記鎖交磁束１２２とは対称三相磁束を成す。又前記鎖交磁束１１１と１２２を合わせた磁束も鎖交磁束１３４で示される。
第１の接続コイルは第２のコイル１０の巻終りと第２のコイル２０の巻始めとが接続される。既第１の接続に含まれるコイルには大きさが同じで反対方向の第１の磁束１２１と１２３の作用が現れなくなる。従って鎖交磁束１１１と鎖交磁束１２２も現れない。第１の磁束１１２が第２のコイル１０と鎖交する。第１の磁束１３２が第２のコイル２０と鎖交する。従って前記第１の磁束１１２と前記第１の磁束１３２が合わさって出来る鎖交磁束１３４が既第１の接続コイルと鎖交する。鎖交磁束１３３は第１のコイル３０と鎖交する。前記鎖交磁束１３３と前記鎖交磁束１３４の位相差は常に１８０度になる。常に１８０度の位相差が有るので、前記第２のコイル２０の巻終りが更に前記第１のコイル３０の巻終りと接続される第２の接続コイルに誘導される変圧器起電力は単相正弦波交流になる。既第２の接続コイルの前記第１のコイル３０の巻終りから負荷電流６１が流れ出る時、前記第２のコイル１０、２０の巻始めから負荷電流６１が流れ出る。この時前記第１のコイル３０からの第２の磁束３１と前記第２のコイル１０、２０からの第３の磁束１１、２１とは互いに反対方向に結合部材７０に誘導される。前記第２の磁束３１と前記第３の磁束１１、２１とを相殺する為に、双方の起磁力が揃えられる。前記第２のコイル１０、２０のそれぞれの巻数Ｎを１Ｎとした時、前記第１のコイル３０の巻数Ｎは２Ｎにされる。既双方の起磁力が揃うと、前記第２の磁束３１の殆どと前記第３の磁束１１、２１の殆どが周回する前記結合部材７０において、前記第２の磁束３１の殆どと前記第３の磁束１１、２１の殆どは大きさが同じで反対方向の磁束となり、相殺される。従って負荷電流６１が流れる事による作用が現れない。
尚、形状、大きさ、作動及び構造上の細部については変更しても良く、前述の具体例は専ら解説の為のものであって、本発明の範囲を限定するものではない。
【実施例ＩＩ】
【０００８】  第１図において、一次コイル１０に流れる電流１２からの第１の磁束３００と、前記第１の磁束３００と鎖交される第１のコイル２０と、誘導起電力を有している前記第１のコイル２０からの第２の磁束２２、２４と、前記第２の磁束２２、２４と合わさると反対方向で略同じ大きさとなる第３の磁束３２、３４と、前記第２の磁束２２、２４と鎖交される前記第３の磁束３２、３４が誘導される第２のコイル３０と、前記第２の磁束２２、２４の殆どと前記第３の磁束３２、３４の殆どが電磁的に結合される結合部材２１０と、前記第１のコイル２０及び前記第２のコイル３０を含む電気回路４００の負荷接続に用いられる第１のコイル２０及び前記第２のコイル３０の接続端子とを具備する実施例が示される。
実施例の発明は磁性芯材２００に巻かれる一次コイル１０と、前記一次コイル１０と接続される交流電源回路１００と閉じられる前記交流電源回路１００に流れる電流１２又は負荷電気回路４００に電磁的又は電気的に接続されて使われる。
中央脚を有する静的な閉路状の結合部材２１０と、前記結合部材２１０に密着させられる磁性芯材２００と、前記磁性芯材２００に巻かれる一次コイル１０と、前記一次コイル１０と接続される交流電源回路１００と、閉じられる前記交流電源回路１００に流れる電流１２と、前記一次コイル１０に流れる前記電流１２からの第１の磁束３００と、前記結合部材２１０に巻かれる第１のコイル２０及び第２のコイル３０と、前記第１のコイル２０と前記第２のコイル３０を含む負荷電気回路４００と、前記負荷電気回路４００に流れる負荷電流４０と、前記第１のコイル２０及び前記第２のコイル３０に流れる前記負荷電流４０からの第２の磁束２２，２４及び第３の磁束３２，３４から成る。
第１図の電力誘導装置は次の様に働く。
交流電源回路１００に一次コイル１０が接続されると、電流１２からの第１の磁束３００が結合部材２１０及び磁性芯材２００を経由して前記一次コイル１０と第１のコイル２０及び第２のコイル３０と鎖交する。前記交流電気回路１００は前記一次コイル１０に自己誘導を生じて電圧平衡に至る。前記第１のコイル２０及び前記第２のコイル３０には前記第１の磁束３００によって変圧器起電力が誘導される。互いの変圧器起電力が加わり合う方向に接続される前記第１のコイル２０と前記第２のコイル３０を含む負荷電気回路４００には、前記第１の磁束３００の変化を妨げる向きに電流４０が流れる。前記第１のコイル２０及び前記第２のコイル３０に流れる前記電流４０の磁界からの磁気誘導が第２の磁束２２，２４及び第３の磁束３２，３４として前記結合部材２１０に現れる。但し、現れる方向は前記第１の磁束３００の変化を妨げる向きである為に前記第２の磁束２２，２４と前記第３の磁束３２，３４とは互いに反対の方向に前記第１のコイル２０及び前記第２のコイル３０と鎖交する。ここで前記第２のコイル３０が使えなく成り、前記第１のコイル２０だけが電源の電気回路を構成すると前記第３の磁束３２，３４は生じないので、前記第２の磁束２２，２４による自己誘導が前記第１のコイル２０に現れる。従ってこの電気回路から有用な電力を取り出せない。前記第１のコイル２０と前記第２のコイル３０は変圧器起電力を誘導される役目と他のコイルの逆起電力を現れなくする役目をする主コイルの両方の役目を兼用させられるコイルとして使われている。従って、前記第１のコイル２０と前記第２のコイル３０の既両方の役目によって負荷電気回路４００に電流４０が流れても前記負荷電気回路４００には逆起電力が現れない。閉じられた負荷電気回路４００は前記第１のコイル２０及び前記第２のコイル３０の変圧器起電力と負荷電流４０に依る電圧降下とで電圧的な平衡に至る。従って既負荷電気回路４００が電圧平衡すると既負荷電気回路４００に電力が誘導される。
尚、形状、大きさ、作動及び構造上の細部については変更しても良く、前述の具体例は専ら解説の為のものであって、本発明の範囲を限定するものではない。
【実施例ＩＩＩ】
【０００９】  第２図において励磁電流１００が継続して流れると、磁性芯材１０に誘導される第１の磁束１３０と、前記第１の磁束１３０と鎖交される第１のコイル４０、５０と、誘導起電力を有している前記第１のコイル４０と５０からの第２の磁束１４０と１５０と、前記第２の磁束１４０又は１５０と合わさると反対方向でほぼ同じ大きさに成る第３の磁束１６０又は１７０と、前記第２の磁束１４０及び１５０と鎖交される前記第３の磁束１６０及び１７０が誘導される第２のコイル６０と、前記第２の磁束１４０又は１５０の殆どと前記第３の磁束１６０又は１７０の殆どが電磁的に結合される結合部材２０と、前記第１のコイル４０と５０を含む負荷電気回路８０の負荷接続に用いられる前記第１のコイル４０と５０の接続端子を具備する実施例が示される。
実施例の発明は磁性芯材１０に巻かれる一次コイル３０と電源７１が閉じられる電気回路７０に流れる励磁電流１００又は負荷電気回路８０に電磁的又は電気的に接続されて使われる。
電源７１を含む電気回路７０の一次コイル３０に励磁電流１００が継続して流れる。すると磁性芯材１０に誘導される第１の磁束１３０が結合部材２０の一方の端を経由し二手に分かれて第１のコイル４０、５０が巻かれる前記結合部材２０を経由し他方の端を経て閉じられる。前記第１のコイル４０、５０が前記第１の磁束１３０と鎖交すると前記第１のコイル４０、５０に変圧器起電力４１、５１が誘導される。前記変圧器起電力４１、５１が新電源になって前記第１のコイル４０、５０と負荷８１を含む負荷電気回路８０が構成される。前記負荷電気回路８０に負荷電流１１０が流れると前記結合部材２０の一部分を占める結合部材２１とで構成される専用磁気回路２２に第２の磁束１４０、１５０が前記第１のコイル４０、５０を貫通する前記第１の磁束１３０の変化を妨げる向きに現れる。前記第２の磁束１４０、１５０は前記第１のコイル４０、５０と鎖交し、前記第１のコイル４０、５０に自己誘導が生じる。その為前記負荷電気回路８０全体が電気的中性状態となる電圧平衡に至る。一方前記第２の磁束１４０、１５０が前記結合部材２１に巻かれる第２のコイル６０とも鎖交する。前記第２のコイル６０には変圧器起電力６１が誘導される。前記変圧器起電力６１を有し負荷が接続されない電気的閉路９０が構成される。前記電気的閉路９０に電流１２０が流れると前記専用磁気回路２２に第３の磁束１６０、１７０が前記第２のコイル６０を貫通する前記第２の磁束１４０、１５０の変化を妨げる向きに誘導される。前記第３の磁束１６０、１７０と前記第２の磁束１４０、１５０とは大きさが略同じで反対方向に生じる。従って前記電気的閉路９０が閉じられると前記負荷電気回路８０の自己誘導は略現れなくなる。それに伴って前記負荷８１にエネルギーが放出される様に負荷電流１１０が前記負荷電気回路８０に流れ出す。すると前記専用磁気回路２２に第２の磁束１８０、１９０が誘導される。前記第２の磁束１８０、１９０が前記第２のコイル６０と鎖交すると前記第２のコイル６０に変圧器起電力６１が誘導される。すると前記電気的閉路９０に電流１２０が流れ出し専用磁気回路２２に第３の磁束２００、２１０が前記第２のコイル６０を貫通する前記第２の磁束１８０、１９０の変化を妨げる向きに誘導される。前記第３の磁束２００、２１０と前記第２の磁束１８０、１９０とは大きさが略同じで反対方向に生じる。その為前記負荷電気回路８０の逆起電力は殆ど現れない。
前記負荷電気回路８０には逆起電力が殆ど現れないので前記負荷電気回路８０は前記負荷８１に於ける電圧降下が殆どで電圧平衡に至る。従って前記変圧器起電力４１、５１が前記負荷電流１１０を通ずる際に、前記変圧器起電力４１、５１の有するエネルギーの殆どが前記負荷８１に放出される。
尚、形状、大きさ、作動及び構造上の細部については変更しても良く、前述の具体例は専ら解説の為のものであって、本発明の範囲を限定するものではない。
【実施例ＩＶ】
【００１０】  第３図において変動させられている第１の磁束５０、５１と、前記第１の磁束５０と鎖交される第１のコイル３０と、誘導起電力を有している前記第１のコイル３０からの第２の磁束４０、４２と、前記第２の磁束４０、４２と合わさると反対方向でほぼ同じ大きさに成る第３の磁束４１、４３と、前記第２の磁束４０、４２と鎖交される前記第３の磁束４１、４３が誘導される第２のコイル３１と、前記第２の磁束４０、４２の殆どと前記第３の磁束４１、４３の殆どが電磁的に結合される結合部材１０、１１、２０、２２と、前記第１のコイル３０及び前記第２のコイル３１を含む電気回路９０の負荷接続に用いられる前記第１のコイル３０及び前記第２のコイル３１の接続端子を具備する実施例が示される。
磁石６０、６１が一方の端を結合部材２０、２１に密着され、他方で、磁性芯材７０、７１と密着させられる。前記磁性芯材７０、７１とで凹凸状磁性芯材８０が上下から挟まれる。前記凹凸状磁性芯材８０が軸を介して回転させられる。すると、磁石６０、６１は複数の動作点の間を反復して動作する動的磁気回路に成る。実施例の発明は、既動的磁気回路と電磁的に接続されて使われる。又、負荷１１０を含む電気回路９０と電気的に接続されて使われる。
第１のコイル３０と第２のコイル３１が巻かれる結合部材１０、１１の上側が結合部材２０、２２で下側が結合部材２１、２３で閉じられる。前記第１のコイル３０と前記第２のコイル３１に変圧器起電力１、２を誘導する為に軸を介して回転させられる凹凸状磁性芯材８０が磁石６０、６１と密着させられる磁性芯材７０、７１で上下から挟まれる。前記磁石６０、６１のもう一方の端は前記結合部材２０、２１に密着される。前記凹凸状磁性芯材８０が回転して図１上の上下の向きに凸同士又は凹同士が揃うと第１の磁束５０、５１は最も磁束量が増える又は減る。既向きが上下に揃わない中間ではその磁束量も中間の量になる。前記第１の磁束５０、５１が前記第１の磁束５０、５１上に図示した矢印の向きに増えつつある時前記第１の磁束５０、５１と鎖交する前記第１のコイル３０と前記第２のコイル３１には前記第１の磁束５０、５１の変化を妨げる向きに変圧器起電力１、２が誘導されるので前記第１のコイル３０と前記第２のコイル３１と負荷１１０を含む電気回路９０に前記電気回路９０上に図示した矢印の方向に負荷電流１００が流れる。前記第１のコイル３０と前記第２のコイル３１に流れる前記負荷電流１００からの磁界によって結合部材１０、１１との間に互いに対面して誘導される第２の磁束４０と第３の磁束４１及び第２の磁束４２と第３の磁束４３が誘導される。前記第２の磁束４０と前記第３の磁束４１及び前記第２の磁束４２と前記第３の磁束４３は互いに反対方向で大きさが同じに誘導される。従って前記第２の磁束４０と前記第３の磁束４１及び前記第２の磁束４２と前記第３の磁束４３が前記第１のコイル３０と前記第２のコイル３１を貫通しても電磁誘導が略現われなくなる。負荷電流１００が大きくても前記第１の磁束５０、５１によって誘導される前記変圧器起電力１、２は略その儘保たれる。
尚、形状、大きさ、作動及び構造上の細部については変更しても良く前述の具体例は専ら解説の為のものであって、本発明の範囲を限定するものではない。例えば起電力を与える手段として交番電流を用いる事も出来る。
【図面の簡単な説明】
【００１１】
【図１】磁気漏れの影響が少ない中央脚を有する磁性芯材が使用される、電力が誘導される実施例を示した説明図である。
【図２】三次巻線を有して、変圧器起電力が電流を通ずる実施例を示した説明図である。
【図３】各脚が中央脚としてエンドレスに繋げられる大電流の利用に信頼性を持たせる実施例を示した説明図である。
【図４】三相対称起電力に平衡負荷を接続する実施例を示した説明図である。
【図５】第４図の第１の磁束を正弦曲線で示したものである。
【図６】第４図の第１の磁束を静止ベクトルで示したものである。
【図７】三相対称起電力に単相負荷を接続する実施例を示した説明図である。
【図８】第４図の第１の磁束を正弦曲線で示したものである。
【図９】第４図の第１の磁束を静止ベクトルで示したものである。
【符号の説明】
【００１２】図１          １０  一次コイル            １２  電流
２０  第１のコイル          ２２  第２の磁束
２４  第２の磁束            ３０  第２のコイル
３２  第３の磁束            ３４  第３の磁束
４０  負荷電流            １００  交流電源回路
２００  磁性芯材            ２１０  結合部材
３００  第１の磁束          ４００  負荷電気回路
図２          １０  磁性芯材              ２０  結合部材
２１  結合部材              ２２  専用磁気回路
３０  一次コイル            ４０  第１のコイル
４１  変圧器起電力          ５０  第１のコイル
５１  変圧器起電力          ６０  第２のコイル
６１  変圧器起電力          ７０  電気回路
７１  電源                  ８０  負荷電気回路
８１  負荷                  ９０  電気的閉路
１００  励磁電流            １１０  負荷電流
１２０  電流                １３０  第１の磁束
１４０  第２の磁束          １５０  第２の磁束
１６０  第３の磁束          １７０  第３の磁束
１８０  第２の磁束          １９０  第２の磁束
２００  第３の磁束          ２１０  第３の磁束
図３            １  変圧器起電力            ２  変圧器起電力
１０  結合部材              １１  結合部材
２０  結合部材              ２１  結合部材
２２  結合部材              ２３  結合部材
３０  第１のコイル          ３１  第２のコイル
４０  第２の磁束            ４１  第３の磁束
４２  第２の磁束            ４３  第３の磁束
５０  第１の磁束            ５１  第１の磁束
６０  磁石                  ６１  磁石
７０  磁性芯材              ７１  磁性芯材
８０  凹凸状磁性芯材        ９０  電気回路
１００  負荷電流            １１０  負荷
図４            １  第１の磁路              ２  第２の磁路
３  第３の磁路              ４  平衡負荷
５  開閉器                  ６  接続端子
１０  第２のコイル          １２  第１の磁束
１３  第１の磁束            ２０  第２のコイル
２１  第１の磁束            ２３  第１の磁束
２６  変圧器起電力          ２７  変圧器起電力
２８  変圧器起電力          ３０  第１のコイル
３１  第１の磁束            ３２  第１の磁束
４０  結合部材              ４１  負荷電流
４２  負荷電流              ４３  負荷電流
５１  第３の磁束            ５２  第３の磁束
５３  第２の磁束          １００  対称三相起電力装置
１０２  開閉器              １０３  励磁電流
１０４  電気回路            １１０  磁性芯材
１１１  コイル              １２０  磁性芯材
１２１  コイル              １３０  磁性芯材
１３１  コイル
図５          １１  第２のコイル鎖交磁    １３  第１の磁束
２１  第１の磁束            ２２  第２のコイル鎖交磁束
３２  第１の磁束            ３３  第１のコイル鎖交磁束
第６図        １１  第２のコイル鎖交磁束  １３  第１の磁束
２１  第１の磁束            ２２  第２のコイル鎖交磁束
３２  第１の磁束            ３３  第１のコイル鎖交磁束
第７図          １  第１の磁路              ２  第２の磁路
３  第３の磁路            １０  第２のコイル
１１  第３の磁束            １５  変圧器起電力
２０  第２のコイル          ２１  第３の磁束
２５  変圧器起電力          ３０  第１のコイル
３１  第２の磁束            ３５  変圧器起電力
４０  接続端子              ４１  開閉器
５０  単相負荷              ６０  電気回路
６１  負荷電流              ７０  結合部材
１１０  磁性芯材            １１２  第１の磁束
１１３  第１の磁束          １２０  磁性芯材
１２１  第１の磁束          １２３  第１の磁束
１３０  磁性芯材            １３１  第１の磁束
１３２  第１の磁束          ２００  電気回路
２０１  コイル              ２０２  コイル
２０３  コイル              ２１０  開閉器
２２０  対称三相起電力装置  ２２１  励磁電流
第８図      １１１  鎖交磁束            １１３  第１の磁束
１２１  第１の磁束          １２２  鎖交磁束
１３２  第１の磁束          １３３  鎖交磁束
１３４  鎖交磁束
第９図      １１１  鎖交磁束            １１２  第１の磁束
１１３  第１の磁束          １２１  第１の磁束
１２２  鎖交磁束            １２３  第１の磁束
１３１  第１の磁束          １３２  第１の磁束
１３３  鎖交磁束            １３４  鎖交磁束
【手続補正書】
【提出日】平成21年12月7日(2009.12.7)
【手続補正１】
【補正対象書類名】図面
【補正対象項目名】全図
【補正方法】追加
【補正の内容】
【図１】
2010034531.tif 000003
【図２】
2010034531.tif 000004
【図３】
2010034531.tif 000005
【図４】
2010034531.tif 000006
【図５】
2010034531.tif 000007
【図６】
2010034531.tif 000008
【図７】
2010034531.tif 000009
【図８】
2010034531.tif 000010
【図９】
2010034531.tif 000011